【手続補正書】
【提出日】平成22年11月22日(2010.11.22)
【手続補正１】
【補正対象書類名】特許請求の範囲
【補正対象項目名】全文
【補正方法】変更
【補正の内容】
【特許請求の範囲】
【請求項１】
第１の基地局（１１０Ａ）から受信した第１のＯＦＤＭ信号と第２の基地局（１１０Ｂ）から受信した第２のＯＦＤＭ信号との受信時間差を決定するための無線移動端末（１２０）における方法であって、前記方法が、
前記第１及び第２のＯＦＤＭ信号のそれぞれについて最適同期時間を決定すること（４１０〜４３０、４４０〜４５０）、
前記最適同期時間同士の時間差を計算すること（４７０）、及び、
前記時間差を示すパラメータを前記第１の基地局（１１０Ａ）に送信することであって、前記時間差が前記移動端末によって利用される前記第１の基地局と前記第２の基地局とのタイミング関係を示すこと（４８０）、
を含むことを特徴とする方法。
【請求項２】
前記第１の基地局（１１０Ａ）がサービング基地局であり、前記第２の基地局（１１０Ｂ）が前記移動端末（１２０）のハンドオーバのターゲット基地局である請求項１記載の方法。
【請求項３】
前記最適同期時間を決定すること（４１０〜４３０、４４０〜４５０）が、離散フーリエ変換（ＤＦＴ）ウィンドウの開始時間を決定することを含むことをさらに特徴とする請求項１記載の方法。
【請求項４】
前記ＤＦＴウィンドウの開始時間を決定することが、それぞれの前記ＯＦＤＭ信号に対応するチャネル・インパルス応答を推定すること（４１０、４４０）、及び、前記推定されたチャネル・インパルス応答とサイクリック・プレフィックス間隔との比較（４２０、４５０）に基づいて前記開始時間を選択すること（４３０、４６０）を含むことをさらに特徴とする請求項３記載の方法。
【請求項５】
前記推定されたチャネル・インパルス応答と前記サイクリック・プレフィックス間隔との比較（４２０、４５０）に基づいて前記開始時間を選択すること（４３０、４６０）が、前記推定されたチャネル・インパルス応答にスライディング・ウィンドウ・フィルタ（５２０）を適用すること、及び、前記スライディング・ウィンドウ・フィルタの最大出力に対応する前記開始時間を選択することを含むことをさらに特徴とする請求項４記載の方法。
【請求項６】
前記スライディング・ウィンドウ・フィルタ（５２０）が、前記サイクリック・プレフィックス間隔の期間に等しい幅を有することをさらに特徴とする請求項５記載の方法。
【請求項７】
ＯＦＤＭベースの無線通信システムで使用するための移動端末（１２０）であって、前記移動端末（１２０）が、
第１の基地局（１１０Ａ）から受信した第１のＯＦＤＭ信号と第２の基地局（１１０Ｂ）から受信した第２のＯＦＤＭ信号のそれぞれについて最適同期時間を決定し、
前記最適同期時間同士の時間差を計算し、及び、
前記時間差を示すパラメータを前記第１の基地局（１１０Ａ）に送信し、前記時間差が前記移動端末によって利用される前記第１の基地局と前記第２の基地局とのタイミング関係を示す、
ように構成される信号処理回路（１２４、１２６）を含む
ことを特徴とする移動端末（１２０）。
【請求項８】
ＯＦＤＭベースの無線通信システムで使用するための第１の基地局（１１０）であって、無線周波トランシーバ（７１０）と信号処理回路（７２０、７３０）とを含み、前記信号処理回路（７２０、７３０）が、
前記第１の基地局（１１０）によってサービス提供される移動端末（１２０）から前記無線周波トランシーバ（７１０）を介して時間差パラメータを受信し、前記時間差パラメータが、前記移動端末（１２０）によって決定され、かつ、前記第１の基地局（１１０）から前記移動端末（１２０）によって受信された第１のＯＦＤＭ信号に対応する第１の最適同期時間と、前記移動端末（１２０）によって決定され、かつ、第２の基地局（１１０）から前記移動端末（１２０）によって受信された第２のＯＦＤＭ信号に対応する第２の最適同期時間との時間差を示し、及び、
前記時間差を使用して、前記第１の基地局（１１０）用の基地局送信タイミング・パラメータを調節するか、又は前記第２の基地局（１１０）に送信するために前記移動端末（１２０）が使用するための移動端末送信タイミング・パラメータを計算するか、あるいはその両方を行う、
ように構成されることを特徴とする第１の基地局（１１０）。
【請求項９】
ＯＦＤＭベースの無線通信システムで使用するための第１の基地局（１１０）であって、移動端末（１２０）にサービス提供する第２の基地局（１１０）と通信するためのシステム・インターフェース（７４０）と信号処理回路（７２０、７３０）とを含み、前記信号処理回路（７２０、７３０）が、
前記第２の基地局（１１０）から前記システム・インターフェース（７４０）を介して時間差パラメータを受信し、前記時間差パラメータが、前記移動端末（１２０）によって決定され、かつ、前記第１の基地局（１１０）から前記移動端末（１２０）によって受信された第１のＯＦＤＭ信号に対応する第１の最適同期時間と、前記移動端末（１２０）によって決定され、かつ、第２の基地局（１１０）から前記移動端末（１２０）によって受信された第２のＯＦＤＭ信号に対応する第２の最適同期時間との時間差を示し、及び、
前記時間差を使用して、前記第１の基地局（１１０）用の基地局送信タイミング・パラメータを調節するか、又は前記移動端末のハンドオーバ後に前記第１の基地局（１１０）に送信するために前記移動端末（１２０）が使用するための移動端末送信タイミング・パラメータを計算するか、あるいはその両方を行う、
ように構成されることを特徴とする第１の基地局（１１０）。
【請求項１０】
時間差情報を処理するための第１の基地局（１１０）における方法であって、前記方法が、
移動端末（１２０）によって報告された時間差パラメータを受信することであって、前記時間差パラメータが、前記移動端末（１２０）によって決定され、かつ、前記第１の基地局（１１０）から前記移動端末（１２０）によって受信された第１のＯＦＤＭ信号に対応する第１の最適同期時間と、前記移動端末（１２０）によって決定され、かつ、第２の基地局（１１０）から前記移動端末（１２０）によって受信された第２のＯＦＤＭ信号に対応する第２の最適同期時間との時間差を示すこと、及び、
前記時間差を使用して、前記第２の基地局（１１０）に送信するために前記移動端末（１２０）が使用するための移動端末送信タイミング・パラメータを計算するか、又は前記第１の基地局（１１０）用の基地局送信タイミング・パラメータを調節するか、あるいはその両方を行うこと、
を含むことを特徴とする方法。
【請求項１１】
前記第１の基地局（１１０）が前記移動端末（１２０）のハンドオーバのターゲット基地局であり、前記移動端末（１２０）によって報告された時間差パラメータを受信する前記ステップが、前記第２の基地局（１１０）と通信するために構成されるシステム・インターフェース（７４０）を介して前記第２の基地局（１１０）から前記時間差パラメータを受信することを含むことをさらに特徴とする請求項１０記載の方法。
【請求項１２】
前記第１の基地局（１１０）が前記移動端末にサービス提供し、前記移動端末（１２０）によって報告された時間差パラメータを受信することが、前記第１の基地局（１１０）内の無線トランシーバ（７１０）を介して前記移動端末（１２０）から前記時間差パラメータを受信するステップを含むことをさらに特徴とする請求項１０記載の方法。
【請求項１３】
前記第２の基地局（１１０）が前記移動端末（１２０）のハンドオーバのターゲット基地局であり、前記方法が、前記第２の基地局（１１０）と通信するために構成されるシステム・インターフェース（７４０）を介して前記第２の基地局（１１０）に前記時間差パラメータを送信することをさらに含むことをさらに特徴とする請求項１２記載の方法。
【請求項１４】
前記方法が、前記移動端末（１２０）に前記移動端末送信タイミング・パラメータを送信することをさらに含むことをさらに特徴とする請求項１２記載の方法。